(57)【要約】【課題】加速度センサー装置を有した携帯電話に、加速度検出部、加速度個人認証情報登録部、個人認証情報記憶部、個人認証情報認証部を組み合わせることで、携帯電話を動かした時の移動パターンを個人認証情報として認証し、携帯電話のロック機能を設定／解除する。【解決手段】加速度センサー装置（１０）を有した携帯電話に、加速度検出部（１１）、加速度個人認証情報登録部（１２）、個人認証情報記憶部（１３）、個人認証情報認証部（１４）を組み合わせることで、携帯電話を動かした時の移動パターンを個人認証情報として認証し、携帯電話のロック機能を設定／解除することを特徴とする。【選択図】図１
2007116318.tif 000002
【特許請求の範囲】
【請求項１】
筐体と、
前記筐体が移動した際、前記筐体に働く加速度を検出して加速度情報を出力する加速度センサーと、
前記加速度センサーから加速度情報を受け取る加速度情報検出部と、
前記加速度情報検出部から前記加速度情報を受け取る加速度個人認証情報登録部と、
個人認証情報登録モードが設定されている間、前記加速度個人認証情報登録部により前記加速度情報が登録され、前記個人認証情報登録モードが終了した時、前記個人認証情報登録モードが設定されている間に登録された前記加速度情報を一つの個人認証情報として記憶する個人認証情報記憶部と、
前記加速度情報検出部から新規の加速度情報を受け取り、前記個人認証情報記憶部から前記個人認証情報を受け取り、前記個人認証情報と前記新規の加速度情報とが一致するか否かを判定して認証を行う個人認証情報認証部と
を具備する
携帯端末。
【請求項２】
請求項１に記載の携帯端末において、
前記個人認証情報認証部は、前記個人認証情報と前記新規の加速度情報とが一致した場合、所定のロックを解除する
携帯端末。
【請求項３】
請求項１に記載の携帯端末において、
前記個人認証情報認証部は、前記個人認証情報と前記新規の加速度情報とが一致した場合、所定の機能を自動的に実行する
携帯端末。
【請求項４】
請求項１に記載の携帯端末において、
前記筐体を開閉するための開閉機構部を更に具備し、
前記個人認証情報認証部は、前記個人認証情報と前記新規の加速度情報とが一致した場合、前記開閉機構部を自動的に開放する
携帯端末。
【請求項５】
請求項１に記載の携帯端末において、
前記個人認証情報記憶部は、前記個人認証情報を記憶する際に前記個人認証情報に対応する機能が指定された場合、前記指定された機能と前記個人認証情報とを合わせて記憶する
携帯端末。
【請求項６】
請求項１に記載の携帯端末において、
前記加速度情報は、前記筐体の移動方向、移動回数、及び移動の際の加速度に関する情報が含まれる
携帯端末。
【請求項７】
請求項１に記載の携帯端末において、
前記加速度センサーは、前記筐体の３次元の移動方向、及び移動量（大きさ）を検出する
携帯端末。
【請求項８】
請求項１に記載の携帯端末において、
音楽を流すためのスピーカー部を更に具備し、
前記加速度センサーは、前記スピーカー部から前記音楽が流れている間に前記筐体に働く加速度を検出して前記加速度情報を出力する
携帯端末。
【請求項９】
筐体と、
前記筐体が移動した際、前記筐体に働く加速度を検出して加速度情報を出力する加速度センサーと、
前記加速度センサーから加速度情報を受け取る加速度情報検出部と、
前記加速度情報検出部から前記加速度情報を受け取る加速度個人認証情報登録部と、
個人認証情報登録モードが設定されている間、前記加速度個人認証情報登録部により前記加速度情報が登録され、前記個人認証情報登録モードが終了した時、前記個人認証情報登録モードが設定されている間に登録された前記加速度情報を一つの個人認証情報として記憶する個人認証情報記憶部と、
前記加速度情報検出部から新規の加速度情報を受け取り、前記個人認証情報記憶部から前記個人認証情報を受け取り、前記個人認証情報と前記新規の加速度情報とが一致するか否かを判定して認証を行う個人認証情報認証部と
を具備する
認証装置。
【請求項１０】
請求項９に記載の認証装置において、
前記個人認証情報記憶部は、前記個人認証情報を記憶する際に前記個人認証情報に対応する機能が指定された場合、前記指定された機能と前記個人認証情報とを合わせて記憶する
認証装置。
【請求項１１】
請求項９に記載の認証装置において、
前記加速度センサーは、前記筐体の３次元の移動方向、及び移動量（大きさ）を検出する
認証装置。
【請求項１２】
（ａ）個人認証情報登録モードに設定するステップと、
（ｂ）筐体が移動した際、前記筐体に働く加速度を検出して加速度情報を出力するステップと、
（ｃ）個人認証情報登録モードが設定されている間、加速度情報を記録するステップと、
（ｄ）個人認証情報登録モードが終了した場合、前記加速度情報の記録を終了し、個人認証情報登録モードが設定されている間に記録された加速度情報を一つの個人認証情報として記憶するステップと、
（ｅ）新規の加速度情報を取得するステップと、
（ｆ）前記個人認証情報を取得するステップと、
（ｇ）前記個人認証情報と前記新規の加速度情報とが一致するか否かを判定して認証を行うステップと
を具備する
認証方法。
【請求項１３】
請求項１０に記載の認証方法において、
前記（ｇ）ステップは、
（ｇ１）前記個人認証情報と前記新規の加速度情報とが一致した場合、前記筐体に所定の動作を実行させるステップを具備する
認証方法。
【請求項１４】
請求項１０に記載の認証方法において、
前記（ｄ）ステップは、
（ｄ１）前記個人認証情報を記憶する際に前記個人認証情報に対応する機能が指定された場合、前記指定された機能と前記個人認証情報とを合わせて記憶するステップを具備する
認証方法。
【請求項１５】
請求項１０に記載の認証方法において、
前記（ｂ）ステップは、
（ｂ１）前記筐体の３次元の移動方向、及び移動量（大きさ）を検出する
を具備する
【請求項１６】
請求項１０に記載の認証方法において、
前記（ｂ）ステップは、
（ｂ２）一定時間、音楽を流すステップと、
（ｂ３）前記音楽が流れている間に行われた前記筐体の動きを検出するステップと
を更に具備する
認証方法。
【請求項１７】
請求項１２乃至１６のいずれか一項に記載の認証方法を、コンピュータに実行させるためのプログラム。
【発明の詳細な説明】
【技術分野】
【０００１】
本発明は、加速度センサーを用いた携帯電話の個人認証方法に関する。
【背景技術】
【０００２】
従来、携帯電話においてユーザ認証を行う場合、数字４桁の入力によるパスワード認証が主に用いられていた。
【０００３】
しかし、従来の数字４桁の入力による認証では、認証パターンが数字４桁の暗唱番号のため、組み合わせ数が００００から９９９９までの有限個であり、時間をかければ容易にロックを解除されやすいという問題があった。また、指紋認証や顔撮影のパターン認識による生体認証（指紋、光彩、静脈パターン等）では、ケガや眼鏡、化粧、汚れ等により誤認識される場合があるといった問題があった。
【０００４】
関連する技術として、特開２００３−４６６３０号公報（特許文献１）に携帯電話装置が開示されている。
この携帯電話装置は、加速度検出手段と、パターン格納手段と、識別手段と、制御手段とを備える。
加速度検出手段は、３次元方向の運動加速度を検出する。パターン格納手段は、加速度の時間推移情報により定義された複数の基準行動パターンを格納する。識別手段は、前記加速度検出手段により検出された加速度の時間推移情報と、前記パターン格納手段に格納されている基準行動パターンとを比較することにより、所有者の現在の行動パターンを識別する。制御手段は、呼び出しを一時的に停止させる動作モードが起動された場合に、前記識別手段により識別された行動パターンに基づいて前記動作モードを解除するように制御する。
そして、前記パターン格納手段に格納される基準行動パターンは、所有者からの登録によって格納される。
【０００５】
特開２００１−３５８８１７号公報（特許文献２）に携帯通信端末装置が開示されている。
この従来技術では、無線通信を行うとともに、複数の異なる種類の部を有する携帯通信端末装置が、外部より与えられる振動を感知するとともに、振動が与えられる時の連続的に振動した回数である振動回数を計測し、計測した振動回数に応じて、前記各種部を動作させる。
【０００６】
【特許文献１】特開２００３−４６６３０号公報
【特許文献２】特開２００１−３５８８１７号公報
【発明の開示】
【発明が解決しようとする課題】
【０００７】
本発明の目的は、携帯電話を動かした時の移動パターンを個人認証情報として認証し、ロック機能を設定／解除する携帯電話を提供することである。
【課題を解決するための手段】
【０００８】
以下に、［発明を実施するための最良の形態］で使用される番号を括弧付きで用いて、課題を解決するための手段を説明する。これらの番号は、［特許請求の範囲］の記載と［発明を実施するための最良の形態］との対応関係を明らかにするために付加されたものである。但し、それらの番号を、［特許請求の範囲］に記載されている発明の技術的範囲の解釈に用いてはならない。
【０００９】
本発明の携帯端末は、筐体と、前記筐体が移動した際、前記筐体に働く加速度を検出して加速度情報を出力する加速度センサー（１０）と、前記加速度センサー（１０）から加速度情報を受け取る加速度情報検出部（１１）と、前記加速度情報検出部（１１）から前記加速度情報を受け取る加速度個人認証情報登録部（１２）と、個人認証情報登録モードが設定されている間、前記加速度個人認証情報登録部（１２）により前記加速度情報が登録され、前記個人認証情報登録モードが終了した時、前記個人認証情報登録モードが設定されている間に登録された前記加速度情報を一つの個人認証情報として記憶する個人認証情報記憶部（１３）と、前記加速度情報検出部（１１）から新規の加速度情報を受け取り、前記個人認証情報記憶部（１３）から前記個人認証情報を受け取り、前記個人認証情報と前記新規の加速度情報とが一致するか否かを判定して認証を行う個人認証情報認証部（１４）とを具備する。
【００１０】
前記個人認証情報認証部（１４）は、前記個人認証情報と前記新規の加速度情報とが一致した場合、所定のロックを解除する。
【００１１】
前記個人認証情報認証部（１４）は、前記個人認証情報と前記新規の加速度情報とが一致した場合、所定の機能を自動的に実行する。
【００１２】
本発明の携帯端末は、前記筐体を開閉するための開閉機構部を更に具備し、前記個人認証情報認証部（１４）は、前記個人認証情報と前記新規の加速度情報とが一致した場合、前記開閉機構部を自動的に開放する。
【００１３】
前記個人認証情報記憶部（１３）は、前記個人認証情報を記憶する際に前記個人認証情報に対応する機能が指定された場合、前記指定された機能と前記個人認証情報とを合わせて記憶する。
【００１４】
前記加速度情報は、前記筐体の移動方向、移動回数、及び移動の際の加速度に関する情報が含まれる。
【００１５】
前記加速度センサー（１０）は、前記筐体の３次元の移動方向、及び移動量（大きさ）を検出する。
【００１６】
本発明の携帯端末は、音楽を流すためのスピーカー部を更に具備し、前記加速度センサー（１０）は、前記スピーカー部から前記音楽が流れている間に前記筐体に働く加速度を検出して前記加速度情報を出力する。
【００１７】
本発明の認証方法は、筐体と、前記筐体が移動した際、前記筐体に働く加速度を検出して加速度情報を出力する加速度センサー（１０）と、前記加速度センサー（１０）から加速度情報を受け取る加速度情報検出部（１１）と、前記加速度情報検出部（１１）から前記加速度情報を受け取る加速度個人認証情報登録部（１２）と、個人認証情報登録モードが設定されている間、前記加速度個人認証情報登録部（１２）により前記加速度情報が登録され、前記個人認証情報登録モードが終了した時、前記個人認証情報登録モードが設定されている間に登録された前記加速度情報を一つの個人認証情報として記憶する個人認証情報記憶部（１３）と、前記加速度情報検出部（１１）から新規の加速度情報を受け取り、前記個人認証情報記憶部（１３）から前記個人認証情報を受け取り、前記個人認証情報と前記新規の加速度情報とが一致するか否かを判定して認証を行う個人認証情報認証部（１４）とを具備する。
【００１８】
前記個人認証情報記憶部（１３）は、前記個人認証情報を記憶する際に前記個人認証情報に対応する機能が指定された場合、前記指定された機能と前記個人認証情報とを合わせて記憶する。
【００１９】
前記加速度センサー（１０）は、前記筐体の３次元の移動方向、及び移動量（大きさ）を検出する。
【００２０】
本発明の認証方法は、（ａ）個人認証情報登録モードに設定するステップと、（ｂ）筐体が移動した際、前記筐体に働く加速度を検出して加速度情報を出力するステップと、（ｃ）個人認証情報登録モードが設定されている間、加速度情報を記録するステップと、（ｄ）個人認証情報登録モードが終了した場合、前記加速度情報の記録を終了し、個人認証情報登録モードが設定されている間に記録された加速度情報を一つの個人認証情報として記憶するステップと、（ｅ）新規の加速度情報を取得するステップと、（ｆ）前記個人認証情報を取得するステップと、（ｇ）前記個人認証情報と前記新規の加速度情報とが一致するか否かを判定して認証を行うステップとを具備する。
【００２１】
前記（ｇ）ステップは、（ｇ１）前記個人認証情報と前記新規の加速度情報とが一致した場合、前記筐体に所定の動作を実行させるステップを具備する。
【００２２】
前記（ｄ）ステップは、（ｄ１）前記個人認証情報を記憶する際に前記個人認証情報に対応する機能が指定された場合、前記指定された機能と前記個人認証情報とを合わせて記憶するステップを具備する。
【００２３】
前記（ｂ）ステップは、（ｂ１）前記筐体の３次元の移動方向、及び移動量（大きさ）を検出するステップを具備する
【００２４】
前記（ｂ）ステップは、（ｂ２）一定時間、音楽を流すステップと、（ｂ３）前記音楽が流れている間に前記筐体の動きを検出するステップとを更に具備する。
【００２５】
本発明のプログラムは、上記の認証方法をコンピュータに実行させるためのプログラムである。
【発明の効果】
【００２６】
第１の効果は、認証情報の組み合わせを無限にできることにある。その理由は、上下／左右／前後の移動情報を、移動距離、時間の組み合わせで登録できるためである。
第２の効果は、折り畳み式の携帯電話でも、筐体を開くことなくロックを解除できることにある。その理由は、加速度センサーで携帯電話の動きを検出するため、筐体を開くことなく、携帯を持って動かすことで認証情報を検出することができるためである。
【発明を実施するための最良の形態】
【００２７】
以下に、本発明の第１の実施形態について添付図面を参照して説明する。
図１を参照して、本発明の携帯電話に搭載された認証装置の構成について詳細に説明する。
認証装置は、加速度センサー部１０、加速度情報検出部１１、加速度個人認証登録部１２、個人認証情報記憶部１３、個人認証情報認証部１４、携帯電話ロック部１５とを備える。
【００２８】
加速度センサー部１０は、携帯電話の加速度情報を検出する。加速度情報は、３次元ベクトル情報を持つ。すなわち、縦ｘ，横ｙ，高さｚとした時、加速度センサー部１０は、携帯電話のｘ，ｙ，ｚの３次元の移動方向と、移動量（大きさ）を検出する。３次元の基準点は任意に設定可能とする。例えば、認証を開始した時点の位置でも良いし、予め定められた位置でも良い。
加速度情報検出部１１は、加速度センサー部１０から加速度情報を受け取り、加速度個人認証登録部１２に渡す。
加速度個人認証登録部１２は、個人認証情報登録モードが設定されている間、加速度情報を記録する。この加速度情報は、メモリ上に複数件登録することが可能である。例えば、上下に１回、左右に２回といった動作の場合、「上，下，左，右，左，右」の６件の情報が記録される。
個人認証情報記憶部１３は、個人認証情報登録モードが終了するまでの加速度情報を一つの個人認証情報として記憶する。この時、端末上のメニュー操作（認証パターン登録メニュー）や、特定の暗証番号入力後等の任意の操作の後の、端末の加速度情報を記憶する。端末の動きは、例えば、三角形を３回描く、自分の名前を空中に書く等でも良い。
個人認証情報認証部１４は、加速度情報検出部１１から加速度情報を取得し、加速度個人認証登録部１２に記録された加速度情報のパターンと、個人認証情報記憶部１３の記憶パターンとを比較する。パターンが一致していれば、携帯電話ロック部１５に指示し、携帯電話のロック機能を解除し、携帯電話の機能を利用可能とする。個人認証情報認証部１４は、加速度個人認証登録部１２と一体化しても良い。
携帯電話ロック部１５は、携帯電話の機能、例えば、緊急電話（１１０番等）を除く電話をかける機能や、電話帳の閲覧、メールの読み書き等の利用にロック（施錠）をかけ、使用できないように制限する。このロックは個人認証情報認証部１４により解除される。
【００２９】
なお、携帯電話のロックには、携帯電話のＯＳや電話帳といった所定のソフトウェアに対するロックや、携帯電話の所定の操作キー（入力インターフェース）に対するロック、携帯電話の表示装置（出力インターフェース）に対するロック、及び、折り畳み式の携帯電話の開閉機構に対するロック等がある。
【００３０】
次に、図２を参照して本発明の第１の実施形態の動作について詳細に説明する。
（１）ステップＳ１０１
まず、個人認証情報登録のために、携帯電話を、個人認証情報登録モードに設定する。
（２）ステップＳ１０２
次に、携帯電話の動きを加速度センサー１０が検出し、この携帯電話の動きを示す加速度情報を加速度情報検出部１１に渡す（図１の（ａ））。
（３）ステップＳ１０３
次に、加速度情報検出部１１は、加速度センサー部１０から受け取った加速度情報を加速度個人認証情報登録部１２に渡す（図１の（ｂ））。
（４）ステップＳ１０４
加速度個人認証情報登録部１２は、個人認証情報登録モードが設定されている間、加速度情報を個人認証情報記憶部１３に記録する（図１の（ｃ））。
（５）ステップＳ１０５
個人認証情報登録モードが終了した場合、加速度個人認証情報登録部１２は、個人認証情報記憶部１３への登録を終了する。個人認証情報記憶部１３は、ここまでの加速度情報を一つの個人認証情報として記憶する。
（６）ステップＳ１０６
次に、携帯電話機能がロックされていた場合、個人認証情報認証部１４は、加速度情報検出部１１から加速度情報を取得する（図１の（ｄ））。
（７）ステップＳ１０７
同時に、個人認証情報記憶部１３から個人認証情報を取得する（図１の（ｅ））。
（８）ステップＳ１０８
個人認証情報記憶部１３から取得した個人認証情報と、加速度情報検出部１１から取得した加速度情報のパターンとが一致した場合、個人認証情報認証部１４は、携帯電話ロック部１５のロックを解除する（図１の（ｆ））。なお、個人認証情報記憶部１３から取得した個人認証情報と、加速度情報検出部１１から取得した加速度情報のパターンとが一致しない場合、ロックを解除せず終了する。
【００３１】
なお、認証の際の携帯電話の動きは、個人認証情報を登録した時と全く同じ動作でなくとも、移動パターンが同じであれば良い。
例えば、円を３回描く動作を認証する場合、円の大きさや１回円を描く時間が異なるといった移動量（大きさ）や時間が多少異なっていても、端末を動かしている形状が同じならパターンが一致したものと認識するようにする。すなわち、円、三角、四角は異なるパターンであるが、大きな円、小さな円は同じパターンとして扱う。但し、この時、上下に円を描く動作と、左右に円を描く動作は、異なるパターンとなる。
【００３２】
本発明の第２の実施形態の構成について、詳細に説明する。
事前に、加速度情報パターンに応じた携帯電話機能（例えば、リダイアル部）を登録しておき、例えば、上下に３回、左右に２回というように携帯電話を動かすことで、登録された携帯電話機能を自動的に呼び出すといった実施形態が考えられる。
【００３３】
図３を参照して、加速度情報パターンに応じた携帯電話機能を登録する際の動作について詳細に説明する。
（１）ステップＳ２０１
まず、個人認証情報登録のために、携帯電話を、個人認証情報登録モードに設定する。
（２）ステップＳ２０２
次に、携帯電話の動き（例えば、上下に３回、左右に２回等）を加速度センサー１０が検出し、この携帯電話の動きに関する加速度情報を加速度情報検出部１１に渡す（図１の（ａ））。
（３）ステップＳ２０３
次に、加速度情報検出部１１は、加速度センサー１０からの加速度情報を加速度個人認証情報登録部１２に渡す（図１の（ｂ））。この時、加速度情報には、携帯電話の移動方向、移動回数、移動の際の加速度に関する情報が含まれている。
（４）ステップＳ２０４
加速度個人認証情報登録部１２は、個人認証情報登録モードが設定されている間、加速度情報を個人認証情報記憶部１３に記録する（図１の（ｃ））。
（５）ステップＳ２０５
個人認証情報登録モードが終了した場合、加速度個人認証情報登録部１２は、個人認証情報記憶部１３への登録を終了する。個人認証情報記憶部１３は、ここまでの加速度情報を一つの個人認証情報として記憶する。
（６）ステップＳ２０６
次に、個人認証情報に対応する携帯電話機能が指定された場合、個人認証情報記憶部１３は、指定された携帯電話機能と個人認証情報とを合わせて記憶する。
【００３４】
なお、他の方法として、先に対象となる携帯電話機能を指定しておき、その後に個人認証情報登録モードを設定して個人認証情報を登録し、先に指定された携帯電話機能に個人認証情報を対応させて個人認証情報記憶部１３に記憶するようにしても良い。例えば、個人認証情報登録モードを開始する際に、携帯電話機能を指定しておくようにする。
【００３５】
本発明の第２の実施形態により、携帯電話の動きに応答して、登録された携帯電話機能を実行することが可能となる。
【００３６】
例えば、所定の動きで携帯電話が移動した場合、個人認証情報認証部１４は、その動作のパターンに応じた携帯電話機能を自動的に実行する。あるいは、個人認証情報認証部１４から許可を与えられた携帯電話の制御部（図示されず）が、当該携帯電話機能を自動的に実行する。
【００３７】
また、本発明を用いて、折り畳み式の携帯電話において、特定の加速度情報パターン又は携帯電話の動きに応じて携帯電話が自動的に開くようにするといった利用方法が考えられる。
【００３８】
また、本発明によれば、移動距離を検出可能な機能を有した装置を用いた認証装置といった用途に適用することができる。
【００３９】
なお、以上の説明においては携帯電話を例にしたが、実際には、本発明を適用する対象は携帯電話に限らない。例えば、ＰＤＡや携帯ゲーム機、ポータブルミュージックプレイヤーに対して適用することも可能である。また、固定端末であるデスクトップパソコンに対しても、マウスのような小型の入力デバイスの動きに対して認証を行うようにすることで、本発明を適用することが可能である。
【００４０】
更に、認証を行うタイミングを限定しても良い。例えば、携帯電話の着信音（着メロ等）に合わせて行われた携帯電話の動きに対して認証を行うようにする。また、着信音に限らず、所定のボタンが押下された時に一定時間音楽を流し、その音楽が流れている間に行われた携帯電話の動きに対して認証を行うようにすることもできる。この時、音楽ではなく音声でも良い。例えば、所定のボタンが押下された時、所定の間隔で音声により「第１の動作を行って下さい」といった指示を行い、その指示に応じて行われた携帯電話の動きに対して認証を行うようにする。
【００４１】
以上のように、本発明では、個人認証を、数字４桁の暗証番号や、指紋や光彩、静脈パターン等の生体データを使用するのではなく、携帯電話に限らず、加速度センサーを有する装置の移動パターンを用いる。具体的には、加速度センサー装置を有した携帯電話に、加速度検出部、加速度個人認証情報登録部、個人認証情報記憶部、個人認証情報認証部を組み合わせることで、携帯電話を動かした時の移動パターンを個人認証情報として認証し、携帯電話のロック機能を設定／解除する個人認証方法を特徴とする。
【００４２】
なお、実際には、本発明による認証に加え、従来の数字４桁の暗証番号や、指紋や光彩、静脈パターン等の生体データを使用したバイオメトリクス認証といった他の認証技術を組み合わせて使用しても良い。この場合、少なくとも１回は本発明による認証を行い、更に他の認証技術のうち少なくとも１つを用いて認証を行うようにする。これにより、更に強固で安全なセキュリティ機能が実現できる。
【００４３】
また、本発明では、携帯電話を移動した動きのパターンを認証情報とし、３次元方向と組み合わせに制限を設けないことで、無限の組み合わせ数と、移動パターンとすること（上下２回、左右３回、前後５回等）で、移動距離が多少異なっていても誤認識しないという効果がある。
【００４４】
すなわち、本発明では、加速度センサーによる携帯電話の移動方向を検出し、この移動パターンを３次元方向（上下、左右、前後）及び、移動距離、移動時間と一緒に個人認証情報とすることで、無限の組み合わせが可能となり、個人の特性を持たせることで他人が真似できないという認証機能の強固さを確保することができる。
【図面の簡単な説明】
【００４５】
【図１】図１は、本発明の携帯電話に搭載された認証装置の構成を示すブロック図である。
【図２】図２は、本発明における個人認証の際の動作を示すフローチャートである。
【図３】図３は、加速度情報パターンに応じた携帯電話機能を登録する際の動作を示すフローチャートである。
【符号の説明】
【００４６】
１０  加速度センサー部
１１  加速度情報検出部
１２  加速度個人認証登録部
１３  個人認証情報記憶部
１４  個人認証情報認証部
１５  携帯電話ロック部
【図１】
2007116318.tif 000003
【図２】
2007116318.tif 000004
【図３】
2007116318.tif 000005